(57)【要約】  【課題】文字、数字等のデータを、より安価に、埋め込むことができる織物を提供する。  【解決手段】織物１０には、例えば黒色の下地１２と、この下地１２上に形成される色コード４とが含まれる。色コード４は、読み取り可能に配列された複数の色領域１４−１〜１４−ｎを有する。色領域１４−１〜１４−ｎのそれぞれには、例えば、赤、緑、青等の色糸が織り込まれている。織物１０において、色糸１６は、例えば緯糸として織物１０に水平方向に織り込まれている。色糸１６及び経糸１８は、１本毎に互いに交差するように織り込まれている。経糸１８は、色糸１６より細い糸である。経糸１８は、打ち込み間隔αで色糸１６に織り込まれており、色糸１６は、所定の間隔より大きい間隔で打ち込まれている。【選択図】図２
2008121129.tif 000002
【特許請求の範囲】
【請求項１】
読み取り可能に配列された複数の色領域を有し、
前記色領域のそれぞれには、色糸が織り込まれている
織物。
【請求項２】
前記色糸は、この色糸より細い糸により打ち込まれている
請求項１に記載の織物。
【請求項３】
前記色糸は、所定の間隔より大きい間隔で他の糸により打ち込まれている
請求項２に記載の織物。
【請求項４】
前記織り込まれている色糸の上に、この色糸と同色の色糸が載せられている
請求項１乃至３のいずれかに記載の織物。
【請求項５】
前記色領域には、この色領域と隣接する色領域とは異なる色の色糸が織り込まれている
請求項１乃至４のいずれかに記載の織物。
【請求項６】
前記色領域には、複数の色の色糸のうち１色以上の色糸が織り込まれ、
隣接する色領域においては、一方の色領域には、他方の色領域に織り込まれている色の色糸と、この色とは異なる色の１の色糸とが織り込まれている
請求項１乃至４のいずれかに記載の織物。
【請求項７】
前記色糸は、透明又は半透明な糸により打ち込まれている
請求項１に記載の織物。
【発明の詳細な説明】
【技術分野】
【０００１】
本発明は、服に付けられる布のタグ等の織物に関する。
【背景技術】
【０００２】
服に情報を埋め込む手法として、バーコード又は２次元コードを例えばリネン用の布タグに付すことが考えられる。この場合、バーコード等は刺繍により形成され、布タグは、服等の対象物に接着され、又は縫い付けられている。しかしながら、刺繍が布タグに施されている場合、布タグは非常に高価になってしまう。また、布タグにしわが寄っている場合、バーコード等の読み取りの精度が低下することがある。また、バーコード等を織物で実現する場合に、バーコード等の線幅に応じて糸を細くする必要があるため、織物の生産性が低下することもある。
【０００３】
服のクリーニングにおいては、クリーニング用タックが使用されている。一般に、クリーニング用タックには、耐洗紙が用いられている。このような耐洗紙は、非常に安価である。しかしながら、クリーニング店は、個別の客の例えば染み抜き等の特殊注文を受けつつ、多種多様の物品を扱うので、洗濯事故、誤配等のトラブルも多い。
【０００４】
また、特許文献１では、少ない色数の緯糸（よこいと）で、原画像の色調をよりよく再現するカラー織物が開示されている。
【０００５】
【特許文献１】特開２００５−２８１９２６号公報
【発明の開示】
【発明が解決しようとする課題】
【０００６】
本発明は、上述した背景からなされたものであり、文字、数字等のデータを、より安価に、埋め込むことができる織物を提供することを目的とする。
【課題を解決するための手段】
【０００７】
上記目的を達成するために、本発明に係る織物は、読み取り可能に配列された複数の色領域を有し、前記色領域のそれぞれには、色糸が織り込まれている。
【０００８】
好適には、前記色糸は、この色糸より細い糸により打ち込まれている。
好適には、前記色糸は、所定の間隔より大きい間隔で打ち込まれている。
好適には、前記織り込まれている色糸の上に、この色糸と同色の色糸が載せられている。
【０００９】
また、好適には、前記色領域には、この色領域と隣接する色領域とは異なる色の色糸が織り込まれている。
さらに、好適には、前記色領域には、複数の色の色糸のうち１色以上の色糸が織り込まれ、隣接する色領域においては、一方の色領域には、他方の色領域に織り込まれている色の色糸と、この色とは異なる色の１の色糸とが織り込まれている。
【発明の効果】
【００１０】
本発明の織物によれば、文字、数字等のデータを、より安価に、埋め込むことができる。
【発明を実施するための最良の形態】
【００１１】
図１は、本発明の実施形態に係る織物とこの織物に含まれる色コードを例示する図である。
図１（Ａ）は、本発明の実施形態に係る織物１０及びこの織物１０が付けられた服２を例示する。図１（Ａ）に例示するように、織物１０は、例えば布のタグとして実現される。なお、織物１０は、タオル、袋、かばん、靴等の製品に付けられてもよく、これらの製品は特に限定されない。
【００１２】
図１（Ｂ）は、織物１０に含まれている色コード４を例示する図である。図１（Ｂ）に例示するように、織物１０には、例えば黒色の下地１２と、この下地１２上に形成される色コード４とが含まれる。色コード４は、複数の色糸が下地１２に織り込まれて形成されている。本例では、赤、緑及び青の色糸が、下地１２に織り込まれている。
【００１３】
色コード４には、文字、数字等のデータが埋め込まれている。このようなデータには、例えば、製品情報、選択の際の注意、在庫管理情報、顧客へのサービス情報等が含まれている。したがって、色コード４が後述する読取装置により読み取られると、色コード４に埋め込まれたデータが解析される。なお、色コード４は、服、タオル等の製品に、直接、織り込まれてもよい。この場合、織物１０は、服等の製品として実現される。
【００１４】
図１（Ｃ）は、図１（Ｂ）に示される領域Ａを示す図であり、色コード４における符号化手法を説明する図である。図１（Ｃ）に示すように、色コード４は、読み取り可能に配列された複数の色領域１４−１〜１４−ｎを有する。色領域１４−１〜１４−ｎのそれぞれには、例えば、赤、緑、青等の色糸が織り込まれている。なお、これらの色糸が織り込まれていない領域においては、下地１２の色（黒）が表面に現れている。また、色領域１４−１〜１４−ｎなど、複数ある構成部分のいずれかを特定せずに示すときには、単に色領域１４などと略記することがある。
【００１５】
色領域１４には、複数の色（例えば、赤、緑、青）の色糸のうち１色以上の色糸が織り込まれ、隣接する色領域１４においては、一方の色領域１４には、他方の色領域１４に織り込まれている色の色糸と、この色とは異なる色の１の色糸とが織り込まれている。例えば、色領域１４−１には、青色の色糸が織り込まれ、この色領域１４−１に隣接する色領域１４−２には、色領域１４−１に織り込まれている青色の色糸と、この色とは異なる緑色の色糸が織り込まれている。また、例えば、色領域１４−３には、色領域１４−２に織り込まれている青色及び緑色の色糸と、この色とは異なる赤色の色糸が織り込まれている。
【００１６】
色領域１４において、赤、緑、青等の領域は、例えば１ｍｍ×１ｍｍの矩形である。したがって、色領域１４の数が例えば３０である場合、色コード４の長手方向の長さは、およそ３０ｍｍ程度である。また、色コード４において、例えば、赤、緑及び青それぞれのラインの幅は１ｍｍであり、それぞれのラインの間の間隔は０．５ｍｍである。この場合、色コード４の短手方向の長さは、およそ６〜７ｍｍ程度である。
【００１７】
このように、隣接する色領域１４は、織り込まれた色糸について、いずれか１つの色糸が異なる関係にある。したがって、色コード４が読取装置により例えば左端から右端に向けて読み取られる場合、読取装置は、色領域１４を移動する毎に、いずれか１つの色糸の色の変化を検知する。後述する解析装置は、読取装置により読み取られた色の変化の順番を認識することにより、色コード４に埋め込まれたデータを取得する。
【００１８】
図２は、本発明の実施形態に係る織物１０において、色領域１４に織り込まれている色糸１６−１〜１６−ｍと打ち込み糸とを示す図である。
図２に示すように、色糸１６は、例えば緯糸として織物１０に水平方向に織り込まれている。色糸１６は、経糸（たていと）１８−１〜１８−ｎにより略直角に打ち込まれている。このため、色糸１６及び経糸１８は、１本毎に互いに交差するように織り込まれている。
【００１９】
なお、色糸１６は、例えば３本毎など複数本毎に経糸１８により打ち込まれてもよい。また、色糸１６及び経糸１８は、複数本毎に互いに交差するように織り込まれてもよい。さらに、打ち込みは、色糸１６に対して所定の角度をつけて行われてもよい。
【００２０】
経糸１８は、色糸１６より細い糸である。本例では、色糸１６の表にでている面積が、経糸１８の表にでている面積に対して５倍以上となるように、色糸１６及び経糸１８の太さ、あるいは、打ち込み間隔が採用されている。ここで、経糸１８は、色糸１６より柔らかい糸であることが好ましい。経糸１８（打ち込み糸）は、打ち込み間隔αで色糸１６に織り込まれており、色糸１６は、所定の間隔より大きい間隔で経糸１８により打ち込まれている。したがって、色糸１６−１〜１６−ｍの間隔βは、打ち込みが行われていない場合と比較して、小さい値となる。なお、打ち込み間隔αは、織物１０において一定でなくてもよく、場所に応じて変化されてもよい。また、経糸１８（打ち込み糸）は、透明な糸又は半透明な糸であってもよい。
【００２１】
図３は、本発明の実施形態に係る織物１０において、色領域１４に織り込まれている色糸１６の上に載せられた載せ糸２０を示す図である。
図３に示すように、載せ糸２０は、織物１０に織り込まれている色糸１６と同色の糸であり、色糸１６−１〜１６−ｍの間の隙間に配置されている。したがって、載せ糸２０は、色糸１６及び経糸１８の上面に載せられている。この載せ糸２０は、経糸１８により打ち込まれてもよく、この場合、載せ糸２０は、例えば、色糸１６とは異なる打ち込み間隔で打ち込まれる。
【００２２】
次に、本発明の実施形態に係る解析装置３０を説明する。
図４は、本発明の実施形態に係る解析装置３０のハードウェア構成を、制御装置３２を中心に示す図である。
図４に示すように、解析装置３０は、ＣＰＵ３４及びメモリ３６などを含む制御装置３２と、ネットワークを介して外部のコンピュータなどとデータの送信及び受信を行う通信装置４４と、ハードディスクドライブ等の記憶装置３８と、液晶ディスプレイなどの表示装置並びにキーボード及びマウス等のポインティングデバイスを含むユーザインタフェース装置４２と、織物１０の色コード４を読み取る読取装置４６とを有する。
【００２３】
解析装置３０は、例えば、色コード４を解析するためのプログラムがインストールされた汎用コンピュータであり、読取装置４６を介して読み取られた色コード４のデータ又は読み取られて通信装置４４等を介して入力された色コード４のデータを取得し、この色コード４により表される情報の解析を行う。
【００２４】
以上説明したように、本実施形態の織物１０は、読み取り可能に配列された複数の色領域１４を有し、前記色領域１４のそれぞれには、色糸１６が織り込まれている。そして、色糸１６のコストは、カラーインクのコストと比較して安価であるので、本実施形態によれば、色コードがカラーインクを用いて印刷される場合と比較して、文字、数字等のデータを、より安価に、埋め込むことができる。
【００２５】
本実施形態の織物１０においては、色領域１４に織り込まれている色糸１６の色の変化の順番が解析されるので、服２に、部分的な伸縮、曲がり、色コード４の寸法誤差、があった場合においても、部分的な伸縮等が色コード４の読み取りに与える影響を低減することができる。このため、織物１０が、部分的に伸縮していたり、例えばアイロン前のしわが寄った状態である場合においても、良好な読取精度が維持されることができる。
【００２６】
本実施形態の織物１０において、色糸１６は、この色糸１６より細い糸により打ち込まれている。したがって、色糸１６と色糸１６との間の隙間が小さくなるので、織物１０において、下地１２の色が表面に現れる面積は小さくなる。よって、色領域１４の色が明確になるので、色コード４が読み取られる場合、読取精度が向上されることができる。また、色糸１６を太くすることにより、生産性を向上させることができる。
【００２７】
また、色糸１６は、所定の間隔より大きい間隔で打ち込まれている。したがって、経糸１８の色が色コード４の読み取りに与える影響が低減されるので、読取精度が向上されることができる。さらに、織り込まれている色糸１６の上に、この色糸１６と同色の載せ糸２０が載せられている。したがって、色糸１６と色糸１６との間の隙間が埋められるので、色領域１４の色が明確になり、読取精度がさらに向上されることができる。
【００２８】
織物１０は布地であるので、バーコード又は２次元コードの取り付けが困難であった場所又は素材に対しても取り付けられることができる。特に、本実施形態の織物１０がクリーニングタックとして用いられた場合、織物１０は、服に対して結ぶ、溶着する、縫いつける等の方法で、服に取り付けられる。このため、織物１０が付けられた状態でも服は洗濯可能であり、引っかかり事故の発生頻度、あるいはタグの取り付けのためのステープルのさび等の発生を低減させることができる。
【００２９】
本実施形態の織物１０は、服に恒久的に取り付けられてもよい。この場合、クリーニング毎にクリーニングタックの取り付けを行う手間を省くことができる。さらに、洗濯回数等、対象となる服の追跡を行うことができるので、事故を未然に防止することができ、ユーザに対して新たなサービスを提供することができるようになる。
【００３０】
本実施形態の織物１０がアパレル用途に用いられる場合、販売後の動向の調査、製造履歴あるいはクリーニングにおける品質の向上、偽ブランドの対策等が可能となる。色コード４は、比較的小さなスペースに形成されることができるので、織物１０は、通常のタグと併存されることが可能であり、例えば襟元等、目立たない箇所に取り付けられることができる。
【００３１】
次に、上記実施形態に係る織物１０に含まれる色コード４の変形例を説明する。
図５は、上記実施形態に係る織物１０に含まれる色コード４の変形例を示す図である。
図５（Ａ）に示すように、色コード４は、複数の色領域１４−１〜１４−ｎを有し、これらの色領域１４−１〜１４−ｎのそれぞれには、当該色領域１４と隣接する色領域１４とは異なる色の色糸１６が織り込まれている。例えば、色領域１４には、青、赤及び黄のいずれかの色糸が織り込まれている。したがって、色領域１４は、青、赤及び黄のいずれかの色で形成されている。
【００３２】
本実施例においては、色コード４が読取装置により例えば左端から右端に向けて読み取られる場合、読取装置４６は、色領域１４を移動する毎に、色糸の色の変化を検知する。解析装置３０は、読取装置４６により読み取られた色の並びを認識することにより、色コード４に埋め込まれたデータを取得する。したがって、織物１０が伸縮したり、歪んだりした場合においても、色コード４は、適切に読み取られて解析されることができる。
【００３３】
また、図中の矢印Ｂで示されるように、色領域１４は、より小さい領域にされてもよい。この場合、色領域１４の幅は、少なくとも色糸１６の太さまで小さくされることができる。したがって、本発明によれば、バーコード、２次元コード等と比較して、より小さな領域に情報を埋め込むことができる。
【００３４】
図５（Ｂ）は、図５（Ａ）に示される色コード４と同一のデータを表す色コード４を示す。色コード４において、色領域１４の形状は、矩形に限定されず、どのような形状であってもよい。したがって、本発明によれば、色コード４のデザイン化を可能とすることができる。
【００３５】
また、上記実施形態では、先染めの糸を織ることにより、色領域１４が形成された織物１０を制作しているが、これに限定されるものではなく、例えば、染色特性の異なる複数の糸で織物１０を織り、この織物１０を複数の染色剤で染色することにより、色領域１４が形成された織物１０を制作してもよい。すなわち、製品染め（後染め）により、色領域１４が形成された織物１０を制作してもよく、本発明に係る色糸とは、後染めにより後に特定の色に染められる糸を含み、本発明に係る色領域とは、染色特性が他の領域と異なる領域、すなわち、後染めにより特定の色に染められる領域を含む。
【図面の簡単な説明】
【００３６】
【図１】本発明の実施形態に係る織物とこの織物に含まれる色コードを例示する図である。
【図２】本発明の実施形態に係る織物１０において、色領域１４に織り込まれている色糸１６−１〜１６−ｍと打ち込みを示す図である。
【図３】本発明の実施形態に係る織物１０において、色領域１４に織り込まれている色糸１６の上に載せられた載せ糸２０を示す図である。
【図４】本発明の実施形態に係る解析装置３０のハードウェア構成を、制御装置３２を中心に示す図である。
【図５】本発明の実施形態に係る織物１０に含まれる色コード４の変形例を示す図である。
【符号の説明】
【００３７】
４    色コード
１０    織物
１２    下地
１４    色領域
１６    色糸
１８    経糸
２０    載せ糸
【図１】
2008121129.tif 000003
【図２】
2008121129.tif 000004
【図３】
2008121129.tif 000005
【図４】
2008121129.tif 000006
【図５】
2008121129.tif 000007